(57)【要約】【課題】電気掃除機に用いる吸込具に関して、吸込具の着脱時に吸込具に触れずに吸込具の収納が掃除作業の延長で行うことができ、衛生的で使用性に優れた吸込具を提供する。【解決手段】パイプ部材１９とパイプ部材１９の軸方向に対して回動自在で、かつパイプ部材１９の外周又は一部に配設されブラシ２１を植毛したブラシホルダー（吸口部材）２２と、ブラシホルダー２２をパイプ部材１９の軸方向に対して回転方向に附勢する弾性体２４とブラシホルダー２２がパイプ部材１９の軸方向に対して一定の角度を有して回動突出した位置まで回動する手段とパイプ部材１９の軸方向に対して略平行な位置に保持する手段とブラシホルダー２２をパイプ部材１９の軸方向に対して略平行な位置まで移動させる手段を有する吸込具とした。【選択図】図２
2007021058.tif 000002
【特許請求の範囲】
【請求項１】
パイプ部材と該パイプ部材の軸方向に対して回動自在で、かつ前記パイプ部材の外周又は一部に配設された吸口部材と、該吸口部材を前記パイプ部材の軸方向に対して回転方向に附勢する弾性体と前記吸口部材がパイプ部材の軸方向に対して一定の角度を有して回動突出した位置まで回動する手段とパイプ部材の軸方向に対して略平行な位置に保持する手段と前記吸込部材をパイプ部材の軸方向に対して略平行な位置まで移動させる手段を有したことを特徴とする吸込具。
【請求項２】
一端部に延長管の被接続部Ａが接続される接続部Ａを他端部側に延長管の被接続部Ａと同一形状の被接続部Ｂを形成したパイプ部材と該パイプ部材の接続部Ａ側に回動自在でかつ前記パイプ部材の一端部近傍に配設された回動軸に枢支された吸口部材と該吸口部材を前記パイプ部材の接続部Ａ側端面に回動突出させるように附勢する弾性体を有し、前記吸口部材を前記パイプ部材の軸方向に対して一定の角度に回動突出した位置まで回動する手段と前記パイプ部材の軸方向に対して略平行な位置に保持する手段と前記吸込部材をパイプ部材の軸方向に対して略平行な位置まで移動させる手段を有したことを特徴とする吸込具。
【請求項３】
吸口部材の吸込口近傍に平面部を有し、前記平面部に力を加えることにより、前記吸込部材をパイプ部材の軸方向に対して略平行な位置まで移動させることを特徴とする請求項１または２記載の吸込具。
【請求項４】
吸口部材の吸込口近傍に設けた平面部を回動軸配設側の略反対側に配置したことを特徴とする請求項３記載の吸込具。
【請求項５】
吸口部材をパイプ部材の軸方向に対して一定の角度に回動突出した位置まで回動する手段として、パイプ部材の軸方向に沿って接続部Ａに形成された穴と該穴内面内を前記吸口部材と連動して移動する突起部材を有し、該突起部材は吸口部材がパイプ部材の軸方向に対して一定の角度に回動突出した位置で前記穴前部内面と当接することを特徴とする請求項２〜４のいずれか１項に記載の吸込具。
【請求項６】
吸口部材をパイプ部材の軸方向に対して一定の角度に回動突出した位置まで回動する手段として、前記吸口部材と連動して移動する突起部材を有し、該突起部材は吸口部材がパイプ部材の軸方向に対して一定の角度に回動突出した位置でパイプ部材の外周面に当接することを特徴とする請求項１〜４のいずれか１項に記載の吸込具。
【請求項７】
吸口部材をパイプ部材の軸方向に対して一定の角度に回動突出した位置まで回動する手段として、パイプ部材の回動軸配設側と反対側に外方に突出する凸部Ａを形成するとともに吸口部材のパイプ部材側に内方に突出する凸部Ｂを形成し、吸口部材がパイプ部材の軸方向に対して一定の角度に回動突出した位置で前記凸部Ａと凸部Ｂとが当接することを特徴とする請求項１〜４のいずれか１項に記載の吸込具。
【請求項８】
吸口部材をパイプ部材の軸方向に対して略平行な位置に保持する手段として、パイプ部材の軸方向に沿って接続部Ａに形成された穴から該パイプ部材の内周面に突出して設けられ、かつ前記吸口部材と連動して前記穴内を移動する突起部材とパイプ部材の接続部Ａに接続される延長管などの被接続部Ａでと構成したことを特徴とする請求項２〜７のいずれか１項に記載の吸込具。
【請求項９】
吸口部材をパイプ部材の軸方向に対して略平行な位置に保持する手段として、パイプ部材の接続部Ａ近傍に配設され、前記パイプ部材の軸方向に挿入した延長管などと係合する係止部、他端側に押し釦を有する尾錠を有し、前記尾錠の上面側に突出する係合部Ａを形成するとともに前記係合部Ａに当接する被係合部Ａを吸口部材の後部内面に突出又はへこませて形成したことを特徴とする請求項１〜７のいずれか１項に記載の吸込具。
【請求項１０】
パイプ部材と該パイプ部材の軸方向に対して回動自在で、かつ前記パイプ部材の外周に配設された吸口部材と、該吸口部材を前記パイプ部材の軸方向に対して回転方向に附勢する弾性体と前記吸口部材がパイプ部材の軸方向に対して一定の角度を有して回動突出した位置まで回動する手段と吸口部材がパイプ部材の軸方向に対して略平行な位置に保持する手段と前記吸込部材をパイプ部材の軸方向に対して略平行な位置まで移動させる手段を有し、前記吸口部材の吸口先端部にブラシ、起毛布などからなる清掃軟質材を配設したことを特徴とする吸込具。
【請求項１１】
吸口先端部に配設した清掃用軟質材は吸口部材がパイプ部材の軸方向に対して略平行な位置にきた時にパイプ部材の先端部より突出するように配設したことを特徴とする請求項１０記載の吸込具。
【請求項１２】
吸口先端部に配設した清掃用軟質材は吸口部材に附勢力を与える弾性体の弾性力と略同一以上の弾性力を有したことを特徴とする請求項９〜１１のいずれか１項に記載の吸込具。
【請求項１３】
吸口部材がパイプ部材の軸方向に対して一定の角度を有して回動突出した位置と吸口部材がパイプ部材の軸方向に対して略平行な位置との間の吸口部材の回動角度を約３０〜９０°に設定したことを特徴とする請求項１〜１２のいずれか１項に記載の吸込具。
【請求項１４】
吸口部材がパイプ部材の軸方向に対して一定の角度を有して回動突出した位置の状態で吸口部材とパイプ部材の先端部との間に発生する隙間を覆うカバー体を配設したことを特徴とする請求項１〜１３のいずれか１項に記載の吸込具。
【請求項１５】
カバー体を吸口部材の回動中心と略同軸で、かつ、吸口部材の回動と連動して回動自在に配設したことを特徴とする請求項１４記載の吸込具。
【請求項１６】
吸口部材がパイプ部材の軸方向に対して略平行な位置にきた時に、吸口部材を収納する収納カバー体をパイプ部材の先端部に配設したことを特徴とする請求項１〜１５のいずれか１項に記載の吸込具。
【請求項１７】
収納カバー体の入り口先端部にエラストマー、ゴム、塩化ビニル、起毛布などからなる軟質材を配設したことを特徴とする請求項１６記載の吸込具。
【請求項１８】
収納カバー体の入り口先端部に配設した軟質材は、パイプ部材の先端部より少し突出して配設したことを特徴とする請求項１７に記載の吸込具。
【請求項１９】
収納カバー体は左右に分割された部材とパイプ部材の軸方向に挿入した延長管などと係合する係止部、他端側に押し釦を有する尾錠を覆う尾錠カバー体とで構成され、左右の部材の固定手段として少なくとも尾錠カバー体の取付け部側は尾錠カバー体を左右の部材とリブなどで結合させることにより、左右の部材を固定することを特徴とする請求項１６〜１８のいずれか１項に記載の吸込具。
【請求項２０】
先端パイプ、パイプ部材、延長管、床用吸込具の各接続部、被接続部を同一の形状に構成したことを特徴とする請求項１〜１９のいずれか１項に記載の吸込具。
【請求項２１】
吸引力を発生する電動送風機と前記電動送風機の吸気上流に配設され塵埃を捕集する集塵室を有する本体と、前記集塵室の吸気口部に接続される本体接続部を有するホースなどを有した電気掃除機本体に請求項１〜２０のいずれか１項に記載の吸込具を接続した電気掃除機。
【発明の詳細な説明】
【技術分野】
【０００１】
本発明は、電気掃除機などの吸引装置に接続されて使用する吸込具及びそれを用いた電気掃除機に関するものである。
【背景技術】
【０００２】
従来のこの種の吸込具は、電気掃除機の集塵室と連通したホースとホースの先端に設けた先端パイプとこの先端パイプに接続される延長管、床用吸込具などを有した電気掃除機に、ブラシノズルや隙間ノズルとして前記先端パイプや延長管の先端に着脱自在に取付けられるものであった。その構成としては先端パイプや延長管の先端部などに設けた取付け部に回動自在・摺動自在・着脱自在に接続可能な形態が一般的であった（例えば、特許文献１、特許文献２、特許文献３、特許文献４参照）。
【特許文献１】特開２０００−０７０１８７号公報
【特許文献２】特開２０００−２７９３５２号公報
【特許文献３】特許第３２１３６０８号公報
【特許文献４】特許第３３４４１３６号公報
【発明の開示】
【発明が解決しようとする課題】
【０００３】
しかしながら、上記構成では、ブラシノズルや隙間ノズルなどの吸込具を先端パイプに装着する時には、まず、先端パイプから延長管を取り外した後、吸込具を握り収納場所から取り外し、または回動させて先端パイプに装着する必要があった。また、吸込具を先端パイプに対して正しい位置に装着しないと吸込具の吸込口が意図しない方向に向くため、使いにくいという欠点があり、位置決めのし易さが課題であった。さらには先端パイプから取り外す時には、上記とは逆に先端パイプから吸込具を握り吸込具を取り外してまたは回動させて収納場所に収納した後、先端パイプに延長管を装着する必要があり、吸込具と延長管の付け替えに汚れやすい吸込具を握らなくてはならず不衛生であるとともに、吸込具と延長管の着脱、吸込具の収納部からの着脱の３動作が必要であり、使用性が悪いという課題があった。また、吸込具の吸込口の角度が固定されている構成や、吸込具の吸込口の角度が可動できる構成でも手で角度調整する必要がある構成となっており、やはり、不衛生であるとともに使用性が悪いという課題がある。
【０００４】
他の従来の構成としても、吸込具を先端パイプなどの先端に回動あるいは摺動させて付け替え、収納ができるものがあり、先端パイプに対する吸込具の接続の位置決めは改善されてはいるが、やはり、吸込具と延長管の付け替えに汚れやすい吸込具を握らなくてはならず不衛生であるとともに、吸込具と延長管の着脱、吸込具の収納部からの着脱の３動作が必要であり、使用性が悪いという課題が残っている。また、延長管への吸込具の着脱においても同様に床用吸込具の着脱と吸込具の着脱が必要であった。
【０００５】
本発明は上記課題を解決するもので、吸込具と延長管などの付け替え時に吸込具に触れることなく、また、吸込具の収納が掃除作業の延長で行うことができる、衛生的で使用性に優れた吸込具を提供することを目的とするものである。
【課題を解決するための手段】
【０００６】
上記従来の課題を解決するために本発明は、パイプ部材と該パイプ部材の軸方向に対して回動自在で、かつ前記パイプ部材の外周又は一部に配設された吸口部材と、該吸口部材を前記パイプ部材の軸方向に対して回転方向に附勢する弾性体と前記吸口部材がパイプ部材の軸方向に対して一定の角度を有して回動突出した位置まで回動する手段とパイプ部材の軸方向に対して略平行な位置に保持する手段と前記吸込部材をパイプ部材の軸方向に対して略平行な位置まで移動させる手段を有した吸込具において、吸口部材をパイプ部材の軸方向に対して回転方向に附勢する弾性体により、常に吸口部材がパイプ部材の軸方向に対して一定の角度を有して回動突出した位置になるように附勢されているためにパイプ部材に接続した延長管などを取り外すと吸口部材がパイプ部材の軸方向に対して一定の角度を有して回動突出した位置となり、そのまま直ぐに吸込具として塵埃の吸込みが行え、使い勝手が非常に良いものである。また、パイプ部材に延長管などを取付ける時には、吸込部材をパイプ部材の軸方向に対して略平行な位置まで移動させる手段によって吸込部材を移動させて吸口部材をパイプ部材の軸方向に対して略平行な位置に保持させて延長管などを挿入して接続する。つまり、吸込具の使用状態、収納状態が延長管の着脱動作と連動して行うことができ、吸込具に触れることなく、衛生的で使用性に優れた吸込具を提供することを目的とするものである。
【発明の効果】
【０００７】
本発明の吸込具は、その使用状態、収納状態の選択が延長管などの着脱動作だけで行え、着脱動作が少なく、また、吸込具に触れることがないため、衛生的で使用性に優れた吸込具を提供することができる。
【０００８】
さらには、使用時における吸込具の吸込口の角度は、附勢手段による附勢力によって被掃除面側に附勢されているので、使用時のパイプ部材の角度によって吸口部材の吸込口角度は追随が可能であり、従来の構成のように吸込口の角度を気にすることなく、手軽に使用でき、操作性が向上するとともに被掃除面への吸込口の密着性が向上することにより集塵性能の向上が図れるものである。
【発明を実施するための最良の形態】
【０００９】
第１の発明はパイプ部材と該パイプ部材の軸方向に対して回動自在で、かつ前記パイプ部材の外周又は一部に配設された吸口部材と、該吸口部材を前記パイプ部材の軸方向に対して回転方向に附勢する弾性体と前記吸口部材がパイプ部材の軸方向に対して一定の角度を有して回動突出した位置まで回動する手段とパイプ部材の軸方向に対して略平行な位置に保持する手段と前記吸込部材をパイプ部材の軸方向に対して略平行な位置まで移動させる手段を有した吸込具といたもので、吸口部材をパイプ部材の軸方向に対して回転方向に附勢する弾性体により、常に吸口部材がパイプ部材の軸方向に対して一定の角度を有して回動突出した位置になるように附勢されているためにパイプ部材に接続した延長管などを取り外すと吸口部材がパイプ部材の軸方向に対して一定の角度を有して回動突出した位置となり、そのまま直ぐに吸込具として塵埃の吸込みが行え、使い勝手が非常に良いものである。また、パイプ部材に延長管などを取付ける時には、吸込部材をパイプ部材の軸方向に対して略平行な位置まで移動させる手段によって吸込部材を移動させて吸口部材をパイプ部材の軸方向に対して略平行な位置に保持させて延長管などを挿入して接続する。つまり、吸込具の使用状態、収納状態が延長管の着脱動作と連動して行うことができ、吸込具に触れることなく、衛生的で使用性に優れた吸込具を提供することができる。さらには、使用時における吸込具の吸口部材の吸込口角度は、附勢手段による附勢力によって被掃除面側に附勢されているので、使用時のパイプ部材の角度によって吸込口の角度は追随が可能であり、従来の構成のように吸込口の角度を気にすることなく、手軽に使用でき操作性が向上するとともに被掃除面への吸込口の密着性が向上することにより、集塵性能の向上が図れるものである。
【００１０】
第２の発明は、一端部に延長管の被接続部Ａが接続される接続部Ａを他端部側に延長管の被接続部Ａと同一形状の被接続部Ｂを形成したパイプ部材と該パイプ部材の接続部Ａ側に回動自在でかつ前記パイプ部材の一端部近傍に配設された回動軸に枢支された吸口部材と該吸口部材を前記パイプ部材の接続部Ａ側端面に回動突出させるように附勢する弾性体を有し、前記吸口部材を前記パイプ部材の軸方向に対して一定の角度に回動突出した位置まで回動する手段と前記パイプ部材の軸方向に対して略平行な位置に保持する手段と前記吸込部材をパイプ部材の軸方向に対して略平行な位置まで移動させる手段を有したもので、パイプ部材から延長管を取り外すと吸口部材がパイプ部材の軸線に対して一定の角度を有して吸込口がパイプ部材の先端部に形成され、直ぐ吸込具として塵埃の吸込みが行え、使い勝手が非常に良いものである。また、パイプ部材に延長管などを取付ける時には、吸込部材をパイプ部材の軸方向に対して略平行な位置まで移動させる手段によって吸込部材を移動させて吸口部材をパイプ部材の軸方向に対して略平行な位置に保持させて延長管などを挿入して接続する。つまり、吸込具の使用状態、収納状態が延長管の着脱動作と連動して行うことができ、吸込具に触れることなく、衛生的で使用性に優れた吸込具を提供することができる。
【００１１】
第３の発明は、吸口部材の吸込口近傍に平面部を有し、前記平面部に力を加えることにより、前記吸込部材をパイプ部材の軸方向に対して略平行な位置まで移動させ構成としたもので、吸込部材の吸込口近傍に形成した平面部に力を加えることで確実に吸込部材をパイプ部材の軸方向に対して略平行な位置まで移動させて保持することが可能となり、延長管などの接続が容易に行え、使用性の向上が図れるものである。
【００１２】
第４の発明は、吸口部材の吸込口近傍に設けた平面部を回動軸配設側の略反対側に配置したもので、回動軸で片持ち保持をされている吸込部材の回動軸配設側の略反対側、すなわち保持部分の相対位置に平面部を形成していることにより、小さな力で吸込部材の移動が容易となり、小さな力で吸込部材をパイプ部材の軸方向に対して略平行な位置まで移動させて保持することが可能となり、操作性、使用性の向上が図れるものである。
【００１３】
第５の発明は、吸口部材をパイプ部材の軸方向に対して一定の角度に回動突出した位置まで回動する手段として、パイプ部材の軸方向に沿って接続部Ａに形成された穴と該穴内面内を前記吸口部材と連動して移動する突起部材を有し、該突起部材は吸口部材がパイプ部材の軸方向に対して一定の角度に回動突出した位置で前記穴前部内面と当接させたもので、突起部材が穴内を移動することによってパイプ部材と吸口部材との位置規制が確実に行え、確実に吸口部材がパイプ部材の軸方向に対して回動することにより、使い勝手が向上するものである。
【００１４】
第６の発明は、吸口部材をパイプ部材の軸方向に対して一定の角度に回動突出した位置まで回動する手段として、前記吸口部材と連動して移動する突起部材を有し、該突起部材は吸口部材がパイプ部材の軸方向に対して一定の角度に回動突出した位置でパイプ部材の外周面に当接させたもので剛性の高いパイプ部材の外周面で吸口部材の位置規制を行うため、強度が確保でき、破損しにくく、耐久性が向上するものである。
【００１５】
第７の発明は、吸口部材をパイプ部材の軸方向に対して一定の角度に回動突出した位置まで回動する手段として、パイプ部材の回動軸配設側と反対側に外方に突出する凸部Ａを形成するとともに吸口部材のパイプ部材側に内方に突出する凸部Ｂを形成し、吸口部材がパイプ部材の軸方向に対して一定の角度に回動突出した位置で前記凸部Ａと凸部Ｂとが当接させたもので、吸口部材の位置規制が回動中心側と反対側で凸部Ａと凸部Ｂとが当接して行うことにより吸口部材への大きな力に耐えることができ、強度、耐久性の向上が図れるものである。
【００１６】
第８の発明は、吸口部材をパイプ部材の軸方向に対して略平行な位置に保持する手段として、パイプ部材の軸方向に沿って接続部Ａに形成された穴から該パイプ部材の内周面に突出して設けられ、かつ前記吸口部材と連動して前記穴内を移動する突起部材とで構成したもので、吸口部材をパイプ部材の軸方向に対して一定の角度に回動突出した位置に保持された状態で吸口部材の吸込口から延長管の被接続部Ａを挿入すると前記被接続部Ａが前記突起部材に当接し、該突起部材の移動とともに吸口部材が回動して吸口部材をパイプ部材の軸方向に対して略平行な位置に保持することにより、吸込具の使用状態、収納状態が延長管の着脱動作と連動して行うことができ、吸込具に触れることなく、衛生的で使用性に優れた吸込具を提供することができる。
【００１７】
第９の発明は、吸口部材をパイプ部材の軸方向に対して略平行な位置に保持する手段として、パイプ部材の接続部Ａ近傍に配設され、前記パイプ部材の軸方向に挿入した延長管などと係合する係止部、他端側に押し釦を有する尾錠を有し、前記尾錠の上面側に突出またはへこんだ係合部Ａを形成するとともに前記係合部Ａに当接する被係合部Ａを吸口部材の後部内面に突出又はへこませて形成したもので、吸込具を使用状態で被掃除面に対してパイプ部材を垂直方向に立てるとパイプ部材に対して吸込具が収納状態側に回動して、最終的に尾錠の係合部Ａと吸口部材の被係合部Ａとが係合して、吸込具をパイプ部材の軸方向に対して略平行な位置に保持することができ、また、パイプ部材と延長管との着脱部分が見え易く視認性が良くなり、パイプ部材への延長管の接続が容易になり、さらなる使用性の向上が図れるとともに吸込具に触れることが無いため、衛生的である。
【００１８】
第１０の発明は、パイプ部材と該パイプ部材の軸方向に対して回動自在で、かつ前記パイプ部材の外周に配設された吸口部材と、該吸口部材を前記パイプ部材の軸方向に対して回転方向に附勢する弾性体と前記吸口部材がパイプ部材の軸方向に対して一定の角度を有して回動突出した位置まで回動する手段と吸口部材がパイプ部材の軸方向に対して略平行な位置に保持する手段を有し、前記吸口部材の吸口先端部にブラシ、起毛布などからなる清掃軟質材を配設したもので、吸込具による被掃除面への傷つきを防止するとともに被掃除面上の塵埃をブラシ・起毛布などからなる清掃用軟質材によって掻き出したり、拭いたりすることにより、さらなる使用性の向上と集塵性能の向上が図れるものである。
【００１９】
第１１の発明は、吸口先端部に配設した清掃用軟質材は吸口部材がパイプ部材の軸方向に対して略平行な位置にきた時にパイプ部材の先端部より突出するように配設したもので、吸込具を使用状態から床面側に押し付け過ぎた時や、誤って尾錠の保持部Ａと吸口部材の被保持部Ａとが係合して、吸口部材がパイプ部材の先端部の軸方向に対して略平行な位置に保持させてしまっても、被掃除面に直接パイプ部材の先端部が当たるのを防止し、被掃除面への傷つきを防止するとともにパイプ部材の先端部の損傷を防止できるものである。
【００２０】
第１２の発明は、吸口先端部に配設した清掃用軟質材は吸口部材に附勢力を与える弾性体の弾性力と略同一以上の弾性力を有したもので、清掃用軟質材を使用状態で押さえ付けると附勢手段の弾性力より軟質材の弾性力の方が同等もしくは大きいため、吸口部材がパイプ部材側に回動して移動し、床面の角度に関係なくパイプ部材の角度を変えなくても吸口部材の吸気口が常に床面に密着することとなり、吸込み性を損なうこと無く、掃除性能の向上と使用性の向上が図れるものである。
【００２１】
第１３の発明は、吸口部材がパイプ部材の軸方向に対して一定の角度を有して回動突出した位置と吸口部材がパイプ部材の軸方向に対して略平行な位置との間の吸口部材の回動角度を約３０〜９０°に設定したもので、パイプ部材に対して角度を持った床面から略水平な場所まで使用が可能となり、使用範囲が拡大するとともに接続したホースの先端パイプの把手部と略並行となるため、吸込具を操作させ易い自然な角度で操作ができ、さらなる使用性の向上が図れるものである。
【００２２】
第１４の発明は、吸口部材がパイプ部材の軸方向に対して一定の角度を有して回動突出した位置の状態で吸口部材とパイプ部材の先端部との間に発生する隙間を覆うカバー体を配設したもので、吸込具とパイプ部材の先端部との間に発生する隙間からの吸気の漏れによる吸込力の低下を防止するとともに吸口部材を大きくしなくても吸口部材の回動角度を大きく設定する構成ができるため、吸込具の小型化を図りながら、さらなる使用性の向上が図れるものである。
【００２３】
第１５の発明は、カバー体を吸口部材の回動中心と略同軸で、かつ、吸口部材の回動と連動して回動自在に配設したもので、カバー体の配設スペースを最小にして吸込具の小型化・軽量化・簡素化が図れ、使用性の向上が図れるものである。
【００２４】
第１６の発明は、吸口部材がパイプ部材の軸方向に対して略平行な位置にきた時に、吸口部材を収納する収納カバー体をパイプ部材の先端部に配設したもので、吸口部材の納状態で汚れた吸込口やブラシや起毛布などからなる清掃軟質体に手などが触れにくくなるため、さらに衛生的になるとともに吸口部材の収納時における外観を向上させ、また、吸込具をぶつけたりした時の損傷防止が行えるものである。
【００２５】
第１７の発明は、収納カバー体の入り口先端部にエラストマー、ゴム、塩化ビニル、起毛布などからなる軟質材を配設したもので、収納カバー体をぶつけた時などの損傷防止が行えるとともに吸口部材をパイプ部材の軸方向に対して略平行に位置させる方向に大きな力が加わっても、被掃除面に直接、収納カバー体の先端部が当たるのを防止し、被掃除面への傷つきを防止することができ、さらなる使用性の向上が図れるものである。
【００２６】
第１８の発明は、収納カバー体の入り口先端部に配設した軟質材は、パイプ部材の先端部より少し突出して配設したもので、吸口部材をパイプ部材の軸方向に対して略平行に位置させる方向に大きな力が加わっても、被掃除面に直接、パイプ部材の先端部や収納カバー体の先端部が当たるのを防止し、被掃除面への傷つきを防止することができ、さらなる使用性の向上が図れるものである。
【００２７】
第１９の発明は、収納カバー体は左右に分割された部材とパイプ部材の軸方向に挿入した延長管などと係合する係止部、他端側に押し釦を有する尾錠を覆う尾錠カバー体とで構成され、左右の部材の固定手段として少なくとも尾錠カバー体の取付け部側は尾錠カバー体を左右の部材とリブなどで結合させることにより、左右の部材を固定するもので、収納カバー体の外郭を形成するために必要な部品で外郭の固定の一部が行え、小型化、部品点数の削減、安価な構成が可能となるものである。
【００２８】
第２０の発明は、先端パイプ、パイプ部材、延長管、床用吸込具の各接続部、被接続部を同一の形状に構成したことにより、吸込具を先端パイプの被接続部のみならず、延長管の被接続部にも接続して使用することができ、掃除範囲の拡大が図れるものである。つまり、パイプ部材の両端は延長管と同一形状の接続部Ａ、被接続部Ｂを有しているので、吸込具は通常使用時に延長管と接続されるホースの先端パイプに取付けての使用はもちろん、延長管の先に接続して使用できるとともに吸込具を使用しない時にも先端パイプと延長管の間、又は延長管と床ノズルの間に接続したままで通常使用ができ、吸込具の収納場所を別に設ける必要もなく、吸込具を使いたい時に直ぐに使えるともに吸込具の紛失も防止できるものである。
【００２９】
第２１の発明は、吸引力を発生する電動送風機と前記電動送風機の吸気上流に配設され塵埃を捕集する集塵室を有する本体と、前記集塵室の吸気口部に接続される本体接続部を有するホースなどを有した電気掃除機本体に前記の吸込具を備えたもので、電気掃除機としての掃除範囲の拡大や使用性の向上、衛生的な掃除などが容易に行えるものである。
【００３０】
以下、本発明の実施の形態について、図面を参照しながら説明する。なお、この実施の形態により本発明が限定されるものではない。
【００３１】
（実施の形態１）
本発明の第１の実施の形態について、図１〜図１１を用いて説明する。
【００３２】
１は前側に塵埃を集積する集塵袋２を配置した集塵室３、後方に塵埃吸引用のモーター４などを有する本体下であり、前部の集塵袋２上方を覆う蓋体５で集塵室３を形成するとともに後部にモーター４などを配置した上方を本体上６で覆い、電気掃除機本体（以下、本体という）７を構成している。８は一端に本体７前部に構成した集塵室３に連通し、モーター４の吸引力による吸込み通路を形成するフロントカバー９の吸気口１０に接続する接続パイプ１１を有するとともに他端に使用時に握って操作する把手１２を形成し、また、延長管１３などを接続する先端パイプ１４を有するホースである。床面の塵埃を効率的に捕集する床用吸込具１５を延長管１３の先端に着脱自在に接続して用いる。１６は本体７を持ち運びする時に握るサゲテであり、１７は本体下１の前部底面に配設したキャスターローラー（図示せず）とともに使用時に本体７を移動させるローラーであり、本体下１の後部両側面に配設されている。
【００３３】
先端パイプ１４の先端には延長管１３を取り外した時に使用できる吸込具１８を着脱自在に構成している。前記吸込具１８は、パイプ部材１９の略先端下部に位置した回転軸２０によって一端にブラシ２１を植毛した吸口部材としてのブラシホルダー２２をパイプ部材１９に対して回動自在に枢支し、前記ブラシホルダー２２は、パイプ部材１９の外郭上方の位置とブラシホルダー２２の他端をパイプ部材１９の接続部Ａ２３に連通させて連通部２２Ａを形成し、パイプ部材１９に対してブラシ２１が一定の角度αを有した位置との間を回動自在に構成している。前記ブラシホルダー２２の回転軸２０を配置側とは略反対側の吸込口となる先端部近傍角部に平面部２２Ａを形成している。２４は、ブラシホルダー２１をパイプ部材１９の接続部Ａ２３に対して回動突出させて一定の角度αを有する方向に附勢するフックバネであり、パイプ部材１９の下部に設けた穴２５から回動により出没可能なストッパーＡ２６をブラシホルダー２２の下部略中央に形成し、前記穴２５の前壁２７に前記ストッパーＡ２６が当接することによってブラシホルダー２１の回動角度を規制している。この時、フックバネ２４の附勢力（弾性力）はブラシ２１の弾性力と同等もしくは小さく設定している。また、角度αを略６０°に設定していることにより、ブラシ２１と被掃除面の角度は略３０°となり、先端パイプ１４の把手１２と略平行になっている。また、前記ストッパーＡ２６がパイプ部材１９の接続部Ａ２３に挿入され、接続される延長管１３の被接続部Ａ２８に当接することによってブラシホルダー２１を回動させるとともにパイプ部材１９の外郭上方に位置させ、保持する。２９は延長管１３をパイプ部材１９に接続した時に一端に設けた凸部Ａ３０が延長管１３の凹部Ａ３１に係合し、延長管１３を保持、固定する尾錠Ａであり、前記尾錠Ａ２９は他端に指で押さえる釦Ａ３２を形成するとともに軸Ａ３３によって回動自在に構成され、かつ、釦Ａ３２近傍に圧縮バネＡ３４を配置し、圧縮バネＡ３４によって常に釦Ａ３２を上方に附勢、つまり、凸部Ａ３０を下方に附勢し、延長管１３の凹部Ａ３１に係合させる方向に力を加えている。また、前記尾錠Ａ２９は軸Ａ３３と釦３２Ａの間に上方に突出した係合部Ａ３５を形成し、ブラシホルダー２２の連通部２２Ａ側に形成した被係合部Ａ３６に係合して図８に示すようにブラシホルダー２２をパイプ部材１９の上方に保持、固定する。３７、３８はブラシホルダー２２がパイプ部材１９上方に位置した時に覆うように収納する外郭右、外郭左であり、ネジＡ３９、ネジＢ４０によってパイプ部材１９に固定されている。また、外郭右３７、外郭左３８の先端略外周部には、エラストマー、軟質塩化ビニル、ゴム、起毛布などの軟質材を材料とするバンパー４１が突出代Ａを有してパイプ部材１９より突出して配設されており、パイプ部材１９による床面などへの傷付きを防止している。ブラシホルダー２２がパイプ部材１９上方に位置した時に外郭右３７、外郭左３８の先端部よりも突出代Ｂを有して若干、ブラシ２１先端部が突出した状態で保持されている。４２はブラシホルダー２２がパイプ部材１９との間に発生する隙間を覆ってブラシホルダー２２とともに連通部２２Ａを形��するカバー体であり、ブラシホルダー２２の回動中心と同軸で回動自在に構成され、ブラシホルダー２２の連通部２２Ａ側に形成された被係合部Ｂ４３、被係合部Ｃ４４と当接係合する係合部Ｂ４５を形成し、ブラシホルダー２２の回動とともに回動する。また、外郭右３７、外郭左３８の尾錠Ａ２９配置面には、外郭右３７、外郭左３８に設けた溝部右４６、溝部左４７と係合するリブ４８を形成した外郭上４９を配設して、ネジ４０とともに外郭右３７、外郭左３８の上部の保持、固定を行っている。
【００３４】
先端パイプ１４と延長管１３の先端部にも吸込具１８のパイプ部材１９の接続部Ａ２３と同一形状の接続部Ｂ５０、Ｃ５１を構成し、尾錠Ａ２９と略同一の形状を有する尾錠Ｂ５２、Ｃ５３を配設し、凸部Ｂ５４、Ｃ５５、釦Ｂ５６、Ｃ５７、軸Ｂ５８、Ｃ５９、圧縮バネＢ６０、Ｃ６１を有している。吸込具１８のパイプ部材１９と床用吸込具１５の他端部には、前記接続部Ｂ５０、Ｃ５１に挿入し、接続される延長管１３の被接続部Ａ２８と同一形状の被接続部Ｂ６２、Ｃ６３を構成し、同様に凹部Ｂ６４、Ｃ６５を有し、前記尾錠Ｂ５２、Ｃ５３の凸部Ｂ５４、Ｃ５５と係合し、保持される。これにより、接続部がそれぞれ同一形状の接続部Ａ２３、Ｂ５０、Ｃ５１と被接続部Ａ２８、Ｂ６２、Ｃ６３を有することになり、先端パイプ１４、吸込具１８、延長管１３、床用吸込具１５がそれぞれ接続可能になっている。
【００３５】
また、６６は吸込具１８のパイプ部材１９の被接続部Ｂ６２に設けられた回転ブラシ（図示せず）を駆動させる駆動モーター（図示せず）を配設した床用吸込具１５への電源を供給する電源線に接続される凸端子Ａであり、延長管１３、床用吸込具１５の被接続部Ａ２８、Ｃ６３にも同一の凸端子Ｂ６７、Ｃ６８を配設し、吸込具１８のパイプ部材１９、先端パイプ１４、延長管１３の接続部Ａ２３、Ｂ５０、Ｃ５１に有した凹端子Ａ６９、Ｂ７０、Ｃ７１と電気接続される。７２、７３は把手１２前部に設けられたモーター４の運転、停止を行う運転スイッチ、停止スイッチである。また、７４はパイプ部材１９に配置した尾錠Ａ２９、凸端子Ａ６６、凹端子Ａ６９などを上方から覆い、パイプ部材１９との間に挟み込んで保持するパイプカバーである。
【００３６】
上記構成による作用は以下の通りである。
【００３７】
床面の掃除を行う時には、本体７の吸気口１０に接続パイプ１１を接続し、先端パイプ１４の接続部Ｂ５０にパイプ部材１９の被接続部Ｂ６２を、パイプ部材１９の接続部Ａ２３に延長管１３の被接続部Ａ２８を、延長管１３の接続部Ｃ５１に床用吸込具１５の被接続部Ｃ６３を接続して、先端パイプ１４の把手１２を握り、運転スイッチ７２を押してモーター４を起動させ、モーター４の吸引力によって床面上の塵埃を床用吸込具１５から吸込み、延長管１３、パイプ部材１９、先端パイプ１４、ホース８、接続パイプ１１、吸気口１０を介して本体７の集塵室３に配置した集塵袋２内に集塵していく。
【００３８】
次に、ソファーや壁際、カーテン、テーブル上、また、床用吸込具１５が入らない隙間の掃除の時には、床用吸込具１５とともに、延長管１３の被接続部Ａ２８をパイプ部材１９の接続部Ａ２３から外す。この時、尾錠Ａ２９の釦Ａ３２を押して延長管１３をパイプ部材１９から外すと図２、６、９に示すようにパイプ部材１９の先端に配置した吸込部材としてのブラシホルダー２２の係合部Ａ３５と尾錠Ａ２９の被係合部Ａ３６による係合が外れるとともに、ストッパーＡ２６が延長管１３の被接続部Ａ２８との当接がなくなることにより、パイプ部材１９上方に位置していたブラシホルダー２２がフックバネ２４の附勢力によって接続部Ａ２３側に回動し、ストッパーＡ２６が穴２５の前壁２７に当接してブラシ２１がパイプ部材１９に対して一定の角度αを有した状態まで回動する。したがってこの状態ですぐ吸込具１８としてソファーや壁際などの掃除が可能になる。また、フックバネ２４による附勢力によってブラシ２１が常に被掃除面側に附勢されていることにより、被掃除面への密着性が良く、塵埃の除去が効率的に行えるとともに、先端パイプ１４に対する被掃除面の角度が変わってもブラシ２１面が被掃除面に沿って回動することにより、把手１２の角度を変える必要がなく、使用性が向上し、かつ、掃除性能も向上するものである。
【００３９】
さらには、爪楊枝やボタン、小石などの重量のある塵埃がブラシ２１の通常の角度（本実施の形態でのα）で吸わなくても、先端パイプ１４を被掃除面に押し付けてブラシ２１の角度を変えて、ブラシ２１先端からパイプ部材１９の接続部Ａ２３の距離が短くなることにより、ブラシ２１部の真空圧が増大して吸込むことが可能となり、掃除実態にあった吸込み性の優れた吸込具１８を提供することができるものである。
【００４０】
また、ブラシホルダー２２がパイプ部材１９側に移動する方向に大きな力が加わっても外郭右３７、外郭左３８の先端略外周に軟質材で形成されたバンパー４１を配置しているので被掃除面への傷つきが防止できる。さらには、ブラシ２１が外郭右３７、外郭左３８内に収納された状態でブラシ２１先端部が外郭右３７、外郭左３８より突出していることにより、被掃除面への傷つきがより防止できるとともにその収納状態でもブラシ２１による簡単な掃除が可能であり、さらにはブラシ２１が外郭右３７、外郭左３８に突っかかって出てこないなどの不具合も防止できるものである。また、ブラシ２１の角度αを６０°に設定していることにより、ブラシ２１先端面が把手１２と略平行になり、自然な姿勢で把手１２が移動でき、楽に掃除が行える。
【００４１】
次に、ブラシ２１収納する時や、延長管１３をパイプ部材１９に接続する時には、ブラシ２１の弾性力がフックバネ２４の附勢力（弾性力）と同等以上に設定していることから、図９に示すようにブラシ２１を被掃除面に押し付け、先端パイプ１４をＣ方向に回転させ、ブラシホルダー２２を回動させることにより、被係合部Ａ３６が尾錠Ａ２９の係合部Ａ３５に係合して、ブラシホルダー２２がパイプ部材１９の上方に位置して保持され、外郭右３７、外郭左３８の中に容易に収納されてパイプ部材１９の接続部Ａ２３に延長管１３の被接続部Ａ２８が容易に挿入でき、図４、図５に示すように延長管１３に接続できるものである。また、パイプ部材１９に穴２５とストッパーＡ２６を形成することにより、図１０に示すようにブラシ２１を収納しなくてもブラシホルダー２２部に延長管１３の被接続部Ａ２８が挿入できる連通部２２Ａを有しているため、ブラシホルダー２２の連通部２２Ａに沿って延長管１３の被接続部Ａ２８を挿入し、延長管１３をＤ方向に回動させることにより、被接続部Ａ２８がストッパーＡ２６に当接して延長管１３の被接続部Ａ２８の挿入とともにブラシホルダー２２が回動してパイプ部材１９の上方に位置して保持され、外郭右３７、外郭左３８の中に容易に収納されてパイプ部材１９の接続部Ａ２３に延長管１３の被接続部Ａ２８が容易に挿入でき、延長管１３を接続できるものである。さらには、ブラシホルダー２２の回転軸２０を配置側とは略反対側の吸込口となる先端部近傍角部に形成した平面部２２Ａを指などで押すと同様にブラシホルダー２２がパイプ部材１９側に回動して、確実に被係合部Ａ３６が尾錠Ａ２９の係合部Ａ３５に係合して、ブラシホルダー２２がパイプ部材１９の上方に位置して保持される。
【００４２】
また、外郭右３７、外郭左３８の中にブラシホルダー２２とカバー体４２とブラシ２１の大部分が収納されることにより、収納状態で汚れやすいブラシホルダー２２やブラシ２１などに触れにくく、また、見た目にも汚れが目立たないため、衛生的である。
【００４３】
また、ブラシホルダー２２が一定の角度αに位置した時にブラシホルダー２２とパイプ部材１９との間に発生する隙間を覆うカバー体４２を配設することにより、ブラシホルダー２２を大きくすること無く、パイプ部材１９との間に連通部２２Ａを形成することができ、ブラシホルダー２２の回動角度αを大きくして掃除範囲を拡大しても小型の吸込具１８が提供できる。
【００４４】
したがってソファーや壁際などを掃除する時に使用する吸込具１８の取付け、取り外しをする必要がなく、また、塵埃を吸込んだ吸込具１８やブラシ２１に触れること無く、延長管１３の着脱動作や掃除動作と連動して吸込具１８の使用状態、収納状態が選択でき、使用性が著しく向上するとともに清潔で収納性に優れ、かつ、掃除性能の優れた吸込具１８を提供でき、多大な効用を得ることができるものである。
【００４５】
（実施の形態２）
本発明の第２の実施の形態について、図１２を用いて説明する。
【００４６】
なお、第１の実施の形態と同一の部品については、同一符号を付与し、説明を省略する。
【００４７】
２６はブラシホルダー２２の回転軸２０近傍に構成したストッパーＡであり、ブラシホルダー２２がパイプ部材１９に対して所定の角度に回動突出した位置になった時にパイプ部材１９の外郭と当接してブラシホルダー２２の位置を規制するものである。
【００４８】
上記構成による作用は以下の通りである。
【００４９】
吸込具１８を使用する時に、尾錠Ａ２９の釦Ａ３２を押して延長管１３をパイプ部材１９から外すとパイプ部材１９の先端に配置した吸込部材としてのブラシホルダー２２の係合部Ａ３５と尾錠２９の被係合部Ａ３６による係合が外れるとともに、ストッパーＡ２６が延長管１３の被接続部Ａ２８との当接がなくなることにより、パイプ部材１９上方に位置していたブラシホルダー２２がフックバネ２４の附勢力によって接続部Ａ２３側に回動し、ストッパーＡ２６がパイプ部材１９の外郭に当接してブラシホルダー２２がパイプ部材１９に対して一定の角度αを有した状態まで回動する。したがってこの状態ですぐ吸込具１８としてソファーや壁際などの掃除が可能になる。また、フックバネ２４による附勢力によってブラシ２１が常に被掃除面側に附勢されていることにより、被掃除面への密着性が良く、塵埃の除去が効率的に行えるとともに、先端パイプ１４に対する被掃除面の角度が変わってもブラシ２１面が被掃除面に沿って回動することにより、把手１２の角度を変える必要がなく、使用性が向上し、かつ、掃除性能も向上するものである。また、パイプ部材１９に実施の形態１で構成した穴２５を形成する必要がないため、パイプ部材１９の強度を損なうことなく、強度、耐久性に優れた吸込具１８を提供することができるものである。
【００５０】
（実施の形態３）
本発明の第３の実施の形態について、図１３を用いて説明する。
【００５１】
なお、第１の実施の形態と同一の部品については、同一符号を付与し、説明を省略する。
【００５２】
２６はブラシホルダー２２の回転軸２０配設側と略反対の位置であるパイプカバー７４上部前方に設けたストッパーＡであり、ブラシホルダー２２がパイプ部材１９に対して所定の角度に回動突出した位置になった時にブラシホルダー２２の被係止部Ａに当接してブラシホルダー２２の位置を規制するものである。
【００５３】
上記構成による作用は以下の通りである。
【００５４】
吸込具１８を使用する時に、尾錠Ａ２９の釦Ａ３２を押して延長管１３をパイプ部材１９から外すとパイプ部材１９の先端に配置した吸込部材としてのブラシホルダー２２の係合部Ａ３５と尾錠２９の被係合部Ａ３６による係合が外れるとともに、ストッパーＡ２６が延長管１３の被接続部Ａ２８との当接がなくなることにより、パイプ部材１９上方に位置していたブラシホルダー２２がフックバネ２４の附勢力によって接続部Ａ２３側に回動し、ストッパーＡ２６がブラシホルダー２２の被係止部Ａに当接してブラシホルダー２２がパイプ部材１９に対して一定の角度αを有した状態まで回動する。したがってこの状態ですぐ吸込具１８としてソファーや壁際などの掃除が可能になる。また、フックバネ２４による附勢力によってブラシ２１が常に被掃除面側に附勢されていることにより、被掃除面への密着性が良く、塵埃の除去が効率的に行えるとともに、先端パイプ１４に対する被掃除面の角度が変わってもブラシ２１面が被掃除面に沿って回動することにより、把手１２の角度を変える必要がなく、使用性が向上し、かつ、掃除性能も向上するものである。また、ブラシホルダー２２の回転軸２０から遠い位置でブラシホルダー２２の位置規制を行っているため、ブラシホルダー２２の回動突出した位置でのブラシホルダー２２の位置規制がより確実かつ、強固に行え、ブラシホルダー２２に回動させる方向に力が加わってもストッパーＡ及び被係止部Ａ３６が損傷しにくくなり、ストッパーＡ及び被係止部Ａ３６の強度を損なうことなく、強度、耐久性に優れた吸込具１８を提供することができるものである。
【００５５】
また、図１４に示すように吸込具１８を先端パイプ１４や延長管１３の先端部に固定して構成しても同様の効果が得られることは言うまでも無い。
【００５６】
なお、本実施の形態では、ブラシ付きの吸込具で説明したが、尾錠Ａ２９によるブラシホルダー２２の収納時の保持が可能な構成であれば、ブラシ２１部に延長管１３の被接続部Ａ２８が挿入できる連通部２２Ａを形成しなくても例えば吸込口先端を絞った隙間ノズル形態でも同様の効果が得られ、また、ブラシホルダー２２に形成するストッパーＡ２６を延長管１３の被接続部Ａ２８に当接させなくても同様の効果が得られ、より簡単な構成が可能になることは言うまでも無い。
【００５７】
また、先端パイプ１４、パイプ部材１９、延長管１３、床用吸込具１５に同一形状の接続部、被接続部を構成していることにより、先端パイプ１４への取り付けと同様に延長管１３の先端に本発明の吸込具１８を配置しても同様の効果が得られることは言うまでも無い。
【００５８】
また、本発明の構成は本実施の形態に限定されるものでは無い。
【産業上の利用可能性】
【００５９】
以上のように、本発明にかかる吸込具は、先端パイプなどへの吸込具の着脱が吸込具に触れること無く、かつ、延長管の着脱における動作、掃除動作の中で容易に行えるとともに吸込具の収納も行え、衛生的で使用性の向上が図れるとともに掃除性能の向上が図れるので非常に有効である。
【図面の簡単な説明】
【００６０】
【図１】本発明の実施の形態１を示す電気掃除機の全体斜視図
【図２】同吸込具の使用状態における要部断面図
【図３】同吸込具の収納状態における正面図
【図４】同吸込具の延長管接続状態における要部断面図
【図５】同吸込具の延長管接続状態における要部側面図
【図６】同吸込具の使用状態における要部側面図
【図７】同吸込具の収納状態における要部平面図
【図８】同吸込具の収納状態における要部断面図
【図９】同吸込具の使用状態における要部斜視図
【図１０】同吸込具の延長管挿入状態における要部断面図
【図１１】同吸込具の分解斜視図
【図１２】本発明の実施の形態２を示す使用状態における吸込具の断面図
【図１３】本発明の実施の形態３を示す使用状態における吸込具の断面図
【図１４】本発明の他の使用状態における要部断面図
【符号の説明】
【００６１】
１３  延長管
１４  先端パイプ
１８  吸込具
１９  パイプ部材
２０  回転軸
２１  ブラシ
２２  ブラシホルダー
２２Ａ  連通部
２２Ｂ  平面部
２３  接続部Ａ
２４  フックバネ
２５  穴
２６  ストッパーＡ
２７  前壁
２８  被接続部Ａ
２９  尾錠Ａ
３０  凸部Ａ
３１  凹部Ａ
３２  釦Ａ
３３  軸Ａ
３４  圧縮バネＡ
３５  係合部Ａ
３６  被係合部Ａ
３７  外郭右
３８  外郭左
３９  ネジＡ
４０  ネジＢ
４１  バンパー
４２  カバー体
４３  被係合部Ｂ
４４  被係合部Ｃ
４５  係合部Ｂ
４６  溝部右
４７  溝部左
４８  リブ
４９  外郭上
【図１】
2007021058.tif 000003
【図２】
2007021058.tif 000004
【図３】
2007021058.tif 000005
【図４】
2007021058.tif 000006
【図５】
2007021058.tif 000007
【図６】
2007021058.tif 000008
【図７】
2007021058.tif 000009
【図８】
2007021058.tif 000010
【図９】
2007021058.tif 000011
【図１０】
2007021058.tif 000012
【図１１】
2007021058.tif 000013
【図１２】
2007021058.tif 000014
【図１３】
2007021058.tif 000015
【図１４】
2007021058.tif 000016